(57)【要約】      （修正有）【課題】直管型ＬＥＤ照明灯本体において、構造の軽量化と簡易化を図り、ＬＥＤ群の照明範囲を広範とした携帯用直管型ＬＥＤ照明灯を提供する。【解決手段】円筒管１の一端にベースキャップ６を接合し、該ベースキャップ６に雌雄一対のスナップ型電極端子を配設する。スイッチ１０は回路基板２に立設され、その押圧子の頂部が円筒管１の内周に収まる背丈のスイッチ本体と、該押圧子に円筒管１とベースキャップ６を貫通して着脱自在に嵌着されるキャップとから成る。円筒管１の一端にベースキャップ６を接合する場合は、スイッチ１０がＬＥＤ群４を一括して点灯、消灯する。円筒管１の両端にベースキャップ６を接合する場合は、各端部におけるスイッチ１０がＬＥＤ群４を二分割して点灯、消灯する。【選択図】図１
2013157302.tif 000002
【特許請求の範囲】
【請求項１】
透明または半透明な円筒管と、該円筒管に内蔵される回路基板と、該回路基板の長手方向に沿い複数列に渡って配設されるＬＥＤ群と、該ＬＥＤ群に電気的に接続される電気回路と、該電気回路に電源を接続する電極端子とから成る直管型ＬＥＤ照明灯において、
前記電極端子が、雌雄一対のスナップ型電極端子にして、他端が閉塞された円筒管の一端に着脱自在に接合されるベースキャップに配設され、
該ベースキャップのスナップ型電極端子に電気的に接続される前記電気回路には、前記ＬＥＤ群の点灯、消灯に関与し、前記回路基板に立設され、その押圧子の頂部が前記円筒管の内周に収まる背丈のスイッチ本体と、該押圧子に円筒管とベースキャップを貫通して着脱自在に嵌着されるキャップとから成るスイッチが配設され、前記スナップ型電極端子には、これに着脱自在に嵌着されるスナップ型電極端子を有する乾電池が接合されて成り、前記ベースキャップと共に該乾電池が把柄ともなり得ることを特徴とする携帯用直管型ＬＥＤ照明灯。
【請求項２】
透明または半透明な円筒管と、該円筒管に内蔵される回路基板と、該回路基板の長手方向に沿い複数列に渡って配設されるＬＥＤ群と、該ＬＥＤ群に電気的に接続される電気回路と、該電気回路に電源を接続する電極端子とから成る直管型ＬＥＤ照明灯において、
前記電極端子が、雌雄一対のスナップ型電極端子にして、前記円筒管の両端に着脱自在に接合される各ベースキャップに配設され、
各ベースキャップのスナップ型電極端子に電気的に接続される前記電気回路には、前記ＬＥＤ群を二分割してその点灯、消灯に関与し、前記回路基板に立設され、その押圧子の頂部が前記円筒管の内周に収まる背丈のスイッチ本体と、該押圧子に円筒管とベースキャップを貫通して着脱自在に嵌着されるキャップとから成る各個のスイッチが配設され、各ベースキャップのスナップ型電極端子には、これに着脱自在に嵌着されるスナップ型電極端子を有する各個の乾電池が接合されて成り、各ベースキャップと共に各乾電池が把柄ともなり得ることを特徴とする携帯用直管型ＬＥＤ照明灯。
【請求項３】
前記回路基板が、前記円筒管の直径方向縦断面視で、均等に三方面を向いた三角形状に配設され、前記ＬＥＤ群が前記各面に配設されて成る請求項１又は２記載の携帯用直管型ＬＥＤ照明灯。
【請求項４】
前記ベースキャップに配設されるスナップ型電極端子と電気回路との接続が、着脱自在なピンプラグとジャックとから成る請求項１、２又は３記載の携帯用直管型ＬＥＤ照明灯。
【発明の詳細な説明】
【技術分野】
【０００１】  本発明は、ＬＥＤ（発光ダイオード）を用いた携帯用の直管型照明灯に関する。
【背景技術】
【０００２】  ＬＥＤを用いた携帯用の照明灯としては、携帯用青赤交通案内標識灯が実用新案登録第３０８８９８４号（特許文献１）に提案されているが、この発光ダイオードを用いた標識灯（Ｂ）は、標識体（ｅ）と把柄部（ｆ）とから構成され、標識体（ｅ）は横断面（長手方向に直交する断面）がＨ型形状の枠体（９）から成り、該枠体（９）の中央の白色板（１０）の両面にダイオードによる点滅灯（ｇ）、（ｇ）が取り付けられ、その一方側に青色の透明板（１１）が取り付けられ、他方側に赤色の透明板（１２）が取り付けられ、その上端には天板（１３）がビス止め（１４）され、その下方に延設された前記把柄部（ｆ）には電源電池（ｈ）が収納され、その下端に螺着脱のキャップ（１５）が設けられて、該電源電池（ｈ）の取り換えができるようになっている。また、把柄部（ｆ）は枠体（９）の下端に着脱自在に取り付けできるとされているが、電源電池（ｈ）が従来のように、上下にそれぞれ＋電極、−電極を有するタイプのものであるから、把柄部（ｆ）には−電極の案内電路が必要である。
さらに、標識体（ｅ）は前記したように、横断面がＨ型形状の枠体（９）に対して、両側からそれぞれ青色の透明板（１１）と赤色の透明板（１２）が取り付けられるなどで、構造が複雑である上、二列の点滅灯（ｇ）、（ｇ）の点灯、消灯に用いられるスイッチには枠体（９）の分解、組立に関与する働きもなく、また、点滅灯（ｇ）、（ｇ）の点灯回路が２系統でもなく、その配列も白色板（１０）の二面のみである。
【先行技術文献】
【特許文献】
【０００３】
【特許文献１】  実用新案登録第３０８８９８４号
【発明の概要】
【発明が解決しようとする課題】
【０００４】  本発明は、上記従来技術に鑑みて、透明または半透明な円筒管に、多数のＬＥＤ群を配設した回路基板と共に電気回路を内蔵し、その一端及び／又は他端に電極端子を配設した直管型ＬＥＤ照明灯本体において、該電極端子に直接電源としての乾電池を接合し、前記ＬＥＤ群を一括して点灯、消灯したり、二分割してそれぞれのＬＥＤ群を点灯、消灯するスイッチを、該直管型ＬＥＤ照明灯本体の分解、組立に関与させてその構造の軽量化と簡易化を図り、また、ＬＥＤ群の照明範囲を広範とし、さらには、円筒管に内蔵される回路基板の交換や、回路基板に配設されるＬＥＤ群のメンテナンスの簡易化を達成できる携帯用直管型ＬＥＤ照明灯を提供するものである。
【課題を解決するための手段】
【０００５】  本発明の請求項１に記載した携帯用直管型ＬＥＤ照明灯は、透明または半透明な円筒管と、該円筒管に内蔵される回路基板と、該回路基板の長手方向に沿い複数列に渡って配設されるＬＥＤ群と、該ＬＥＤ群に電気的に接続される電気回路と、該電気回路に電源を接続する電極端子とから成る直管型ＬＥＤ照明灯において、
前記電極端子が、雌雄一対のスナップ型電極端子にして、他端が閉塞された円筒管の一端に着脱自在に接合されるベースキャップに配設され、
該ベースキャップのスナップ型電極端子に電気的に接続される前記電気回路には、前記ＬＥＤ群の点灯、消灯に関与し、前記回路基板に立設され、その押圧子の頂部が前記円筒管の内周に収まる背丈のスイッチ本体と、該押圧子に円筒管とベースキャップを貫通して着脱自在に嵌着されるキャップとから成るスイッチが配設され、前記スナップ型電極端子には、これに着脱自在に嵌着されるスナップ型電極端子を有する乾電池が接合されて成り、前記ベースキャップと共に該乾電池が把柄ともなり得ることを特徴とする。
本発明の請求項２に記載した携帯用直管型ＬＥＤ照明灯は、透明または半透明な円筒管と、該円筒管に内蔵される回路基板と、該回路基板の長手方向に沿い複数列に渡って配設されるＬＥＤ群と、該ＬＥＤ群に電気的に接続される電気回路と、該電気回路に電源を接続する電極端子とから成る直管型ＬＥＤ照明灯において、
前記電極端子が、雌雄一対のスナップ型電極端子にして、前記円筒管の両端に着脱自在に接合される各ベースキャップに配設され、
各ベースキャップのスナップ型電極端子に電気的に接続される前記電気回路には、前記ＬＥＤ群を二分割してその点灯、消灯に関与し、前記回路基板に立設され、その押圧子の頂部が前記円筒管の内周に収まる背丈のスイッチ本体と、該押圧子に円筒管とベースキャップを貫通して着脱自在に嵌着されるキャップとから成る各個のスイッチが配設され、各ベースキャップのスナップ型電極端子には、これに着脱自在に嵌着されるスナップ型電極端子を有する各個の乾電池が接合されて成り、各ベースキャップと共に各乾電池が把柄ともなり得ることを特徴とする。
本発明の請求項３に記載した発明は、請求項１又は２に記載した携帯用直管型ＬＥＤ照明灯において、前記回路基板が、前記円筒管の直径方向縦断面視で、均等に三方面を向いた三角形状に配設され、前記ＬＥＤ群が前記各面に配設されて成る請求項１又は２記載の携帯用直管型ＬＥＤ照明灯。
本発明の請求項４に記載した発明は、請求項１、２又は３に記載した携帯用直管型ＬＥＤ照明灯において、前記ベースキャップに配設されるスナップ型電極端子と電気回路との接続が、着脱自在なピンプラグとジャックとから成る。
【発明の効果】
【０００６】  本発明の携帯用直管型ＬＥＤ照明灯によれば、直管型ＬＥＤ照明灯本体（以下、単に本体とする。）に対して、その一端及び／又は他端に電源（乾電池）を電気的に着脱自在に接合して、ベースキャップと共に把柄として使用できるから、軽量にして携帯され得るものであり、また、スイッチを前記本体の端部において、円筒管とベースキャップを貫通して設けたから、ＬＥＤ群を内蔵する円筒管からの該ベースキャップの抜け止めが図られる簡易構造であり、さらには、ＬＥＤ群を配設する回路基板を三方面に向けたことによって、円筒管の円周方向で広範囲に渡って照明できることになり、その上、前記本体と電源の乾電池とを電気的に接合するスナップ型電極端子において、該本体側のスナップ型電極端子にピンプラグとジャックとの電気的接合構造を付加することにより、スナップ型電極端子を本体から分離することができ、円筒管から回路基板を引き出すことができるので、回路基板の交換や、回路基板に配設されるＬＥＤ群のメンテナンスが簡易となり、用途上では交通整理や工事現場などでも使用できるなど、照明の多様化に即応できる上、使用時のＬＥＤの劣化や破損にも即応できるなど、その効果は多大である。
【図面の簡単な説明】
【０００７】
【図１】本発明に係る携帯用直管型ＬＥＤ照明灯Ａの一部を破断した平面図。
【図２】本発明におけるスナップ型電極端子９、９０の説明図で、（ａ）は乾電池８におけるスナップ型電極端子９の配置図、（ｂ）は図１のＡ−Ａ矢視端面におけるベースキャップ６へのスナップ型電極端子９０の配置図。
【図３】本発明に係る携帯用直管型ＬＥＤ照明灯Ｂの一部を破断した平面図。
【図４】本発明におけるスナップ型電極端子９０を設ける直管型ＬＥＤ照明灯本体１３の端部説明図。
【図５】図４のＢ−Ｂ矢視断面図。
【図６】本発明に係る携帯用直管型ＬＥＤ照明灯Ａ、Ｂにおける直管型ＬＥＤ照明灯本体１３の要部説明図。
【図７】図６のＣ−Ｃ矢視断面図。
【図８】スナップ型電極端子９０の他の態様を示す説明図。
【図９】図８のＤ−Ｄ矢視図。
【図１０】図８のＥ−Ｅ矢視図。
【発明を実施するための形態】
【０００８】  本発明における円筒管１の端部とベースキャップ６及びキャップ７との接合は、締まり嵌め状のものから、ネジ螺合によるものなどであり、また、ベースキャップ６の凹部６ａと取付け座１２との接合は、締まり嵌めからネジ螺合によるものなどであり、回路基板２に配設されるＬＥＤ群４を２系統の電気回路５で分割する場合は一対のＬＥＤ３、３を交互に選択して二分割されるものから、回路基板２の全長に対して、一方の半分と他方の半分のように、二分割されるものなどであり、スイッチ１０におけるキャップ１０ｃと押圧子１０ｂとの係合では、着脱（抜き挿し）自在に嵌着するものから、ネジ螺合によるものなどである。さらに、回路基板２を均等に三方面に向けて配設する場合では、円筒管１の内周全面に乱反射溝１ａが配設され、三個の回路基板２をビス１６で接合する三角駒１５は、中心に挿通口１７を設けるものから、三方の辺縁に適宜な溝を欠切するものなどである。
【実施例】
【０００９】  本発明を実施例により説明すると、図１及び図４に示すように、携帯用直管型ＬＥＤ照明灯Ａは、プラスチックやポリカーボネート等の樹脂製の透明または半透明な円筒管１と、該円筒管１の直径方向縦断面視で水平中心部に嵌着される平板状の回路基板（プリント基板）２と、該回路基板２の長手方向に沿って２列に配設される１２個のＬＥＤ（発光ダイオード）３からなるＬＥＤ群４と、該ＬＥＤ群４に電気的に接続される電気回路５と、円筒管１の一端に外嵌接合されるベースキャップ６と、他端を閉塞するキャップ７と、該ベースキャップ６に配設されて、前記電気回路５に電源としての乾電池８を電気的に接続する雌雄一対のスナップ型電極端子９０と、該電気回路５に配設されるスイッチ１０とから成り、乾電池８の雌雄一対のスナップ型電極端子９では、小径の雄側端子９ａが＋電極であり、大径の雌側端子９ｂが−電極であるから、ベースキャップ６に配設されるスナップ型電極端子９０では、小径の雄側端子９０ｂが−電極となり、大径の雌側端子９０ａが＋電極となる。この両端子９０ａ、９０ｂは図１０に示すように、絶縁材の薄肉長方形状の端子板１１に接合されて、それぞれ電気回路５の＋側電路５ａと−側電路５ｂに接続され、ベースキャップ６の外端に横向きに凹設される凹部６ａには、図９に示すような円盤状の取付け座１２が嵌着され、該取付け座１２には、内方面に前記端子板１１を嵌着する嵌着凹部１２ａが凹設され、外方面から嵌着凹部１２ａに向けて前記端子板１１の両端子９０ａ、９０ｂの配設位相に合致させて、それぞれ大径の雌側端子９０ａを挿通できる一対の挿通孔１２ｂ、１２ｂが開口され、さらに、ベースキャップ６の凹部６ａの底面と円筒管１に外嵌される円筒部６ｂの底面との間に形成される仕切壁６ｃには、前記取付け座１２に貫設される一対の挿通孔１２ｂと同位相、同径の連通孔６ｄが回路基板２の配設姿勢に沿って開口され、前記スイッチ１０は、回路基板２に立設され、その押圧子１０ｂの頂部が円筒管１の内周に収まる背丈のスイッチ本体１０ａと、該押圧子１０ｂにベースキャップ６の円筒部６ｂと円筒管１の周部を貫通して着脱自在に嵌着されるキャップ１０ｃとから成り、円筒管１のＬＥＤ群４に照射される内周面には、図５に示すように、乱反射溝１ａが長手方向に沿って多数刻設される。
したがって、ベースキャップ６と端子板１１と取付け座１２との関係では、端子板１１が両端子９０ａと９０ｂを取付け座１２の挿通孔１２ｂ、１２ｂに挿通しつつ、嵌着凹部１２ａに嵌着されて、取付け座１２に対して端子板１１が一体化され、その状態で取付け座１２がベースキャップ６の凹部６ａに締まり嵌め状に嵌着されるものである。
このようにして成る直管型ＬＥＤ照明灯本体（以下、単に本体とする。）１３には、ベースキャップ６に配設される雌雄一対のスナップ型電極端子９０の両端子９０ａ、９０ｂに対して、図２に示すように、乾電池８の一端に配設された雌雄一対のスナップ型電極端子９の各端子９ａ、９ｂがそれぞれ接合されるのである。
したがって、使用時にはベースキャップ６と共に乾電池８が把柄となって携帯され、スイッチ１０のオン、オフ操作でＬＥＤ群４が点灯、消灯される。【００１０】  次に、携帯用直管型ＬＥＤ照明灯Ｂについて説明すると、図３に示すように、前記構成の本体１３に対して、円筒管１の他端にもベースキャップ６を設けたもので、回路基板２に配設されるＬＥＤ群４の一対のＬＥＤ３ａ、３ａに対して一対のＬＥＤ３ｂ、３ｂを交互に配設して照明系統が二分割され、左方のスイッチ１０ＬではＬＥＤ３ａ、３ａのグループが点灯、消灯され、右方のスイッチ１０ＲではＬＥＤ３ｂ、３ｂのグループが点灯、消灯されるから、二系統を同時に点灯して明るさを倍増したり、一系統を青色の点灯用に使用し、他系統を赤色の点灯用に使用するなど、照明用途の多様化に対応できる。
このようにして成る携帯用直管型ＬＥＤ照明灯Ｂも、ベースキャップ６と共に乾電池８が把柄となって保持され、携帯されて使用される。
なお、ベースキャップ６の円筒部６ｂの外周には仮想線で示すように、乾電池８に負荷をかけない把柄１４を設けたり、円筒管１の適所に把手（図外）を設けることもある。【００１１】次に、本発明の携帯用直管型ＬＥＤ照明灯Ａ、ＢにおけるＬＥＤ群４の配設に関する他の実施態様について説明すると、図６、図７に示すように、円筒管１に内蔵される回路基板２が均等に三方面を向くように三角形状に要所で三角駒１５にビス１６で接合され、各回路基板２に設けられるＬＥＤ３に接続される電気回路５の電路５ａ、５ｂは、該三角駒１５の中心に開口される挿通口１７又は各辺縁に欠切される溝（図外）に挿通されて、それぞれベースキャップ６の雌雄一対のスナップ型電極端子９０の雌側端子９０ａ、雄側端子９０ｂに接続される。【００１２】  次に、本発明の携帯用直管型ＬＥＤ照明灯Ａ、Ｂにおける端子板１１に接合されるスナップ型電極端子９０の他の実施態様について説明すると、図８乃至図１０に示すように、ベースキャップ６の凹部６ａに着脱自在に嵌着される取付け座１２に一体化される端子板１１において、雌雄一対のスナップ型電極端子９０の雌側端子９０ａと雄側端子９０ｂの各裏面には、ピンプラグ１８の＋側ピンプラグ１８ａと−側ピンプラグ１８ｂが接合され、両ピンプラグ１８ａ、１８ｂはそれぞれ電気回路５の＋側電路５ａと−側電路５ｂにそれぞれ接続されたジャック１９の＋側ジャック１９ａと−側ジャック１９ｂに嵌着されて電気的に接続される。また、図８に示した円筒管１とベースキャップ６との関係は、円筒管１の端部とベースキャップ６の円筒部６ｂとを螺合したものであるが、両者の締結状態でスイッチ１０のキャップ１０ｃの挿入口が回路基板２に立設されるスイッチ本体１０ａに向けて開口される。
したがって、ＬＥＤ群４の一部に劣化や破損などの支障が生じたときや、ＬＥＤ群４の色光を変更するなどの場合は、円筒管１の一端或いは両端からそれぞれのベースキャップ６を取り外すことができるものである。
すなわち、携帯用直管型ＬＥＤ照明灯Ｂにおいては、各スイッチ１０Ｌとスイッチ１０Ｒのキャップ１０ｃを押圧子１０ｂから取り外し、両ベースキャップ６からそれぞれ取付け座１２を抜き取り、各ピンプラグ１８ａ、１８ｂをそれぞれ各ジャック１９ａ、１９ｂから抜き取ると、各ジャック１９ａ、１９ｂはそれぞれベースキャップ６の仕切壁６ｃの各挿通孔６ｄを通過できるので、円筒管１の両端からそれぞれ各ベースキャップ６を取り外すことができ、円筒管１の何れか一端からスイッチ本体１０ａを含む電気回路５を一体とした回路基板２を引き出すことができて、回路基板２毎の変更やＬＥＤ群４のメンテナンスが簡易となる。
なお、携帯用直管型ＬＥＤ照明灯Ａでは、スイッチ１０のキャップ１０ｃを押圧子１０ｂから取り外せば、円筒管１とベースキャップ６とを分離できるから、ベースキャップ６と共にスイッチ本体１０ａを含む電気回路５を一体として回路基板２を円筒管１から引き抜くことができて、ＬＥＤ群４のメンテナンスがなされ、携帯用直管型ＬＥＤ照明灯Ｂでは、各ベースキャップ６におけるスナップ型電極端子９０ａ、９０ｂに接続される＋側電路５ａ、−側電路５ｂの各長さを円筒管１の長さの略半分程度にして円筒管１の内部に収納すれば、各スイッチ１０のキャップ１０ｃを押圧子１０ｂから取り外したとき、円筒管１の両端から各ベースキャップ６を脱却できるため、円筒管１の一方では電気回路５を含む回路基板２を半分程度引き出すことができ、また、他方でも同様に電気回路５と共に回路基板２を半分程度引き出すことができるから、回路基板２に配設されたＬＥＤ群４のメンテナンス（例えば劣化したり、破損したＬＥＤ３の交換など）が簡易となる。
このように、スイッチ１０をキャップ１０ｃを介して円筒管１とベースキャップ６との分解、組立に関与させ、しかも、電源とベースキャップ６とを電気的に接続する電極端子を雌雄一対のスナップ型電極端子９、９０とすることにより、本発明は軽量化、構造の簡易化、メンテナンスの簡易化が図られ、携帯用としての利便性が達成されたものである。
【産業上の利用可能性】
【００１３】  本発明は、スナップ型電極端子を用いた軽量にして簡易構造であるから、携帯に便利であり、照明範囲も広範化できる上、回路基板の交換や回路基板に配設されるＬＥＤ群のメンテナンスも簡易化されたものであるから、ＬＥＤ照明灯業界とスナップ型電極端子を組み込んだ乾電池業界の活性化に貢献できる。
【符号の説明】
【００１４】１  円筒管
１ａ  乱反射溝
２  回路基板
３  ＬＥＤ
４  ＬＥＤ群
５  電気回路
５ａ  ＋側電路
５ｂ  −側電路
６  ベースキャップ
６ａ  凹部
６ｂ  円筒部
６ｃ  仕切壁
６ｄ  連通孔
７  キャップ
８  乾電池
９  スナップ型電極端子
９ａ  雄側端子
９ｂ  雌側端子
９０  スナップ型電極端子
９０ａ  雌側端子
９０ｂ  雄側端子
１０  スイッチ
１０Ｌ  左方のスイッチ
１０Ｒ  右方のスイッチ
１０ａ  スイッチ本体
１０ｂ  押圧子
１０ｃ  キャップ
１１  端子板
１２  取付け座
１２ａ  嵌着凹部
１２ｂ  挿通孔
１３  直管型ＬＥＤ照明灯本体
１４  把柄
１５  三角駒
１６  ビス
１７  挿通口
１８  ピンプラグ
１８ａ  ＋側ピンプラグ
１８ｂ  −側ピンプラグ
１９  ジャック
１９ａ  ＋側ジャック
１９ｂ  −側ジャック
Ａ、Ｂ  携帯用直管型ＬＥＤ照明灯
【図１】
2013157302.tif 000003
【図２】
2013157302.tif 000004
【図３】
2013157302.tif 000005
【図４】
2013157302.tif 000006
【図５】
2013157302.tif 000007
【図６】
2013157302.tif 000008
【図７】
2013157302.tif 000009
【図８】
2013157302.tif 000010
【図９】
2013157302.tif 000011
【図１０】
2013157302.tif 000012